(57)【要約】【課題】防犯等の目的に応じて遮光板の角度を制御する発電ブラインド装置を提供することを目的とする。【解決手段】操作盤によって防犯モードが設定された場合に、スラットを全閉するようにモータを駆動し（１０２．１０４）、採光優先モードが設定された場合に、採光優先のスラット角度を算出して、算出したスラット角度へモータを駆動し（１０６〜１１２）、発電優先モードが設定された場合に、発電量を検出しながらスラット角度を変更して発電量が最大となるスラット角度を算出して、算出したスラット角度へモータを駆動し（１１４〜１２２）、通常モードが選択された場合に、所定の採光及び発電を得るスラット角度を算出して、算出したスラット角度へモータを駆動する（１２４〜１３０）。【選択図】図４
2010258023.tif 000002
【特許請求の範囲】
【請求項１】
太陽光に対する角度が変更可能に設けられた太陽光を遮光するための複数の遮光板と、
前記遮光板に設けられ、太陽光を利用して発電する太陽電池と、
前記遮光板の前記角度を変更する変更手段と、
前記遮光板によって室内へ入射する太陽光を遮光して外部から室内の目視を不能または抑制する防犯モードを含む複数のモードを選択するための選択手段と、
前記選択手段によって選択された前記モードに応じて前記遮光板の前記角度を変更し、前記選択手段によって前記防犯モードが選択された場合に、前記遮光板によって室内へ入射する太陽光を遮光して外部から室内の目視を不能または抑制するように、前記変更手段を制御する制御手段と、
を備えた発電ブラインド装置。
【請求項２】
前記太陽電池の発電量を検出する電力検出手段を更に備えると共に、前記複数のモードとして前記太陽電池による発電を優先する発電優先モードを含み、
前記制御手段が、前記選択手段によって前記発電優先モードが選択された場合に、前記電力検出手段によって前記発電量を検出しながら前記角度を変更して、前記発電量が最大となるように、前記変更手段を制御する請求項１に記載の発電ブラインド装置。
【請求項３】
太陽光を検出する太陽光検出手段を更に備えると共に、前記複数のモードとして室内への採光を優先する採光優先モードを含み、
前記制御手段が、前記選択手段によって前記採光優先モードが選択された場合に、前記太陽光検出手段の検出結果から照度を検出すると共に日射角度を推定し、検出した照度及び推定した日射角度に対応して予め定めた採光を優先する角度になるように、前記変更手段を制御する請求項１又は請求項２に記載の発電ブラインド装置。
【請求項４】
太陽光を検出する太陽光検出手段を更に備えると共に、前記複数のモードとして所定の採光及び発電を得る通常モードを含み、
前記制御手段が、前記選択手段によって前記通常モードが選択された場合に、前記太陽光検出手段の検出結果から照度を検出すると共に日射角度を推定し、検出した照度及び推定した日射角度に対応して予め定めた所定の採光及び発電を得る角度になるように、前記変更手段を制御する請求項１〜３の何れか１項に記載の発電ブラインド装置。
【請求項５】
前記太陽電池は、前記遮光板の両面に設けた請求項１〜４の何れか１項に記載の発電ブラインド装置。
【請求項６】
現在の日時を取得する取得手段を更に備え、前記制御手段が、前記取得手段によって取得した前記日時に基づいて日射角度を推定する請求項３又は請求項４に記載の発電ブラインド装置。
【発明の詳細な説明】
【技術分野】
【０００１】
本発明は、発電ブラインド装置にかかり、特に、太陽電池を備えた発電ブラインド装置に関する。
【背景技術】
【０００２】
従来より、太陽電池を建物の屋根や壁面等に設置して、発電を行う太陽光発電装置が提案されている。太陽光発電装置は、太陽光を利用して発電するため、温暖化等の環境の問題に対して有効であることから注目されている。
【０００３】
また、太陽光発電装置の設置効率を向上して太陽光を有効に利用するために、特許文献１に記載の技術では、ブラインドに太陽電池を設けることが提案されている。
【０００４】
詳細には、特許文献１に記載の技術では、太陽電池をブラインドの各遮光板に設けた構成としている。これによって設置効率を向上することができる。また、特許文献１に記載の技術では、遮光板を駆動するためのモータを備えて、日射の検出により遮光板を自動的に開閉することにより、室内が無人の場合であっても日射を検出した場合にはブラインドを全閉状態にすることにより、発電量を最大にすることが提案されている。
【先行技術文献】
【特許文献】
【０００５】
【特許文献１】特開２０００−３４０８２４号公報
【発明の概要】
【発明が解決しようとする課題】
【０００６】
しかしながら、特許文献１に記載の技術では、日射を検出した場合に遮光板を全閉状態にするように制御することにより発電量を最大にするようにしているが、日射が検知されない場合には遮光板が自動的に全閉されないので、防犯を優先することができない。すなわち、発電よりも防犯を優先したい場合などが考えられるため、目的によって遮光板の角度を異なる適正角度に制御する必要があり、改善の余地がある。
【０００７】
本発明は、上記事実を考慮して成されたもので、防犯等の目的に応じて遮光板の角度を制御する発電ブラインド装置を提供することを目的とする。
【課題を解決するための手段】
【０００８】
上記目的を達成するために請求項１に記載の発明は、太陽光に対する角度が変更可能に設けられた太陽光を遮光するための複数の遮光板と、前記遮光板に設けられ、太陽光を利用して発電する太陽電池と、前記遮光板の前記角度を変更する変更手段と、前記遮光板によって室内へ入射する太陽光を遮光して外部から室内の目視を不能または抑制する防犯モードを含む複数のモードを選択するための選択手段と、前記選択手段によって選択された前記モードに応じて前記遮光板の前記角度を変更し、前記選択手段によって前記防犯モードが選択された場合に、前記遮光板によって室内へ入射する太陽光を遮光して外部から室内の目視を不能または抑制するように、前記変更手段を制御する制御手段と、を備えることを特徴としている。
【０００９】
請求項１に記載の発明によれば、太陽光に対する角度が変更可能に設けられた太陽光を遮光するための複数の遮光板を備えている。
【００１０】
遮光板には、太陽電池が設けられており、太陽電池によって発電が可能とされており、太陽光に対する遮光板の角度が変更手段によって変更される。
【００１１】
また、選択手段では、遮光板によって室内へ入射する太陽光を遮光して外部から室内の目視を不能または抑制する防犯モードを含む複数のモードのうち何れかのモードが選択される。
【００１２】
そして、制御手段では、選択手段によって選択されたモードに応じて遮光板の太陽光に対する角度を変更するように変更手段が制御されると共に、選択手段によって防犯モードが選択された場合には、遮光板によって室内へ入射する太陽光を遮光して外部から室内の目視を不能または抑制するように変更手段を制御する。これによって防犯を優先した遮光板の角度制御が可能となる。従って、防犯等の目的に応じて遮光板の角度を制御することができる。
【００１３】
また、請求項２に記載の発明のように、太陽電池の発電量を検出する電力検出手段を更に備えると共に、複数のモードとして太陽電池による発電を優先する発電優先モードを含む場合には、制御手段が、選択手段によって発電優先モードが選択された場合に、電力検出手段によって発電量を検出しながら太陽光に対する遮光板の角度を変更して、発電量が最大となるように、変更手段を制御するようにしてもよい。これによって発電を優先して遮光板の角度を制御することができる。
【００１４】
また、請求項３に記載の発明のように、太陽光を検出する太陽光検出手段を更に備えると共に、複数のモードとして室内への採光を優先する採光優先モードを含み、制御手段が、選択手段によって採光優先モードが選択された場合に、太陽光検出手段の検出結果から照度を検出すると共に日射角度を推定し、検出した照度及び推定した日射角度に対応して予め定めた採光を優先する角度になるように変更手段を制御するようにしてもよい。これによって採光を優先して遮光板の角度を制御することができる。
【００１５】
さらに、請求項４に記載の発明のように、太陽光を検出する太陽光検出手段を更に備えると共に、複数のモードとして所定の採光及び発電を得る通常モードを含み、制御手段が、選択手段によって通常モードが選択された場合に、太陽光検出手段の検出結果から照度を検出すると共に日射角度を推定し、検出した照度及び推定した日射角度に対応して予め定めた所定の採光及び発電を得る角度になるように変更手段を制御するようにしてもよい。
【００１６】
なお、太陽電池は、請求項５に記載の発明のように、遮光板の両面に設けるようにしてもよい。
【００１７】
また、請求項３又は請求項４の発明において、日射角度を推定するようにしたが、請求項６に記載の発明のように、現在の日時を取得する取得手段を更に備えて、制御手段が、取得手段によって取得した現在の日時に基づいて日射角度を推定するようにしてもよい。
【発明の効果】
【００１８】
以上説明したように本発明によれば、防犯モードを含む複数のモードのうち、選択されたモードに応じて遮光板の太陽光に対する角度を変更するように制御することによって、防犯等の目的に応じて遮光板の角度を制御する発電ブラインド装置を提供することができる、という効果がある。
【図面の簡単な説明】
【００１９】
【図１】本発明の実施の形態に係わる発電ブラインド装置の構成を示すブロック図である。
【図２】ブラインド部の複数のスラットを示す図であり、（Ａ）は光が入射される状態を示し、（Ｂ）は全閉した状態を示す。
【図３】（Ａ）は採光優先モードを説明するための図であり、（Ｂ）は通常モードを説明するための図であり、（Ｃ）は防犯モードを説明するための図である。
【図４】本発明の実施の形態に係わる発電ブラインド装置の制御回路で行われる処理の流れの一例を示すフローチャートである。
【図５】本発明の実施の形態に係わる発電ブラインド装置の変形例の構成を示すブロック図である。
【図６】本発明の実施の形態に係わる発電ブラインド装置の変形例における制御回路で行われる処理の流れの一例を示すフローチャートである。
【発明を実施するための形態】
【００２０】
以下、図面を参照して本発明の実施の形態の一例を詳細に説明する。図１は、本発明の実施の形態に係わる発電ブラインド装置の構成を示すブロック図である。なお、図１の点線矢印は電力の流れを示し、実線矢印は情報の流れを示す。
【００２１】
本発明の実施の形態に係わる発電ブラインド装置１０は、ブラインド部１２を備えており、ブラインド部１２は、図２（Ａ）、（Ｂ）に示すように、プレート状の太陽光を遮光するための複数の遮光板（以下、スラット１４と称す）を備えている。各スラット１４は、回転可能に設けられている。すなわち、各スラット１４は、太陽光に対する角度調節可能とされ、例えば、図２（Ａ）に示すように、室内に採光する状態から、図２（Ｂ）に示すように、光を遮蔽する状態まで回転可能とされている。
【００２２】
スラット１４は、モータ１６を駆動することによって回転され、スラット１４の角度がモータの駆動により調整される。
【００２３】
また、スラット１４の両面には、太陽電池１８が設けられており、太陽電池１８に光が入射することによって発電するようになっている。
【００２４】
また、モータ１６は、制御回路２０に接続されており、制御回路２０がモータ１６の駆動を制御することにより、スラット１４の角度が調節される。なお、制御回路２０は、モータ１６の駆動量等からスラット１４の角度を検出することが可能とされている。
【００２５】
また、制御回路２０には、操作盤２２、太陽光センサ２４、電力計２６、及び電力供給制御部２８が接続されている。
【００２６】
操作盤２２は、発電ブラインド装置１０の各種設定が可能とされており、各種設定内容を表示するためのモニタや、各種設定を行うための操作キー等を備えている。例えば、操作盤２２は、操作キー等を操作することにより、発電ブラインド装置１０に備えた複数のモードの選択設定が可能とされている。
【００２７】
太陽光センサ２４は、ブラインド部１２の外側に設けられており、太陽光を検出することによって太陽光の照度、方角、季節、天候などを把握し、検出結果を制御回路２０に出力し、電力計２６は、スラット１４に設けられた太陽電池１８の発電量を検出し、検出結果を制御回路２０に出力するようになっている。
【００２８】
電力供給制御部２８には、モータ１６、太陽電池１８、充電装置３０、電気機器３２、及び電源３４が接続されており、電力の流れを制御する。
【００２９】
電力供給制御部２８は、例えば、太陽電池１８の発電電力をモータ１６に供給してスラット１４を駆動したり、太陽電池１８の発電電力（余剰分）を充電装置３０へ供給して充電したり、太陽電池１８の発電電力を発電ブラインド装置１０以外の照明装置などの電気機器３２へ供給したり、電源３４から商用電力をモータ１６へ供給したりする。各電力の流れは、制御回路２０からの指示に応じて切換えが行われる。具体的には、電気機器３２へ電力供給が必要な場合には太陽電池１８の発電電力を供給し、発電電力が不足する場合には、電源３４から商用電力を供給する。また、充電装置３０が満充電ではない場合には、太陽電池１８の発電電力を充電装置３０に充電して、電気機器３２等に供給する。
【００３０】
そして、制御回路２０は、操作盤２２によって複数のモードのうち何れかのモードが選択された場合には、選択されたモードに応じてモータ１６の駆動を制御することによってスラット１４の角度を調整する。複数のモードとしては、本実施の形態では、採光優先モード、発電優先モード、通常モード、及び防犯モードを備えており、操作盤２２によって各モードの選択が可能とされている。
【００３１】
ここで、上述の複数のモード（採光優先モード、発電優先モード、通常モード、防犯モード等）について詳細に説明する。
【００３２】
まず、操作盤２２によって採光優先モードが設定された場合には、図３（Ａ）に示すように、室内に光が入射されるように、制御回路２０によってモータ１６の駆動が制御されてスラット１４の角度が調整される。すなわち、採光優先モードが選択された場合には、日射に追従して採光を優先する角度になるようにスラット１４の角度が調整される。具体的には、制御回路２０は、室内に光が優先的に入射されるスラット１４の角度を照度及び日射角度に対応して予め記憶しておき、太陽光センサ２４によって太陽光を検出することによって照度を検出すると共に現在の日射角度を推定し、検出した照度及び推定した日射角度に対応して予め記憶した採光を優先する角度になるようにモータ１６を駆動してスラット１４の角度を調整する。採光を優先する角度としては、例えば、図３（Ａ）に示すように、日射がスラット１４の表面で反射して室内に入射される角度にスラット１４を調整する。
【００３３】
また、操作盤２２によって発電優先モードが選択された場合には、スラット１４の角度を調整しながら、電力計２６によって太陽電池１８の発電量を検出し、発電電力が大きくなるスラット１４の角度になるようにモータ１６の駆動が制御回路２０によって制御される。具体的には、スラット１４の角度を調整しながら電力量をスキャンして電力量が最大となる角度になるようにモータ１６の駆動を制御してスラット１４の角度を調整する。これによって、太陽電池１８による発電を効率的に行って発電を優先することができる。
【００３４】
また、通常モードが選択された場合には、図３（Ｂ）に示すように、日射がスラット１４の表面側、上側のスラット１４の裏面側に順次反射して室内に入射される。すなわち、通常モードが選択された場合には、日射に追従して所定の採光及び発電を得る角度になるようにスラット１４の角度が調整される。具体的には、制御回路２０は、所定の採光及び発電を得る角度を照度及び日射角度に対応して予め記憶しておき、太陽光センサ２４によって太陽光を検出することによって照度を検出すると共に、現在の日射角度を推定し、検出した照度及び推定した日射角度に対応して予め記憶した所定の採光及び発電を得る角度になるようにモータ１６を駆動してスラット１４の角度を調整する。所定の採光及び発電を得る角度としては、例えば、図３（Ｂ）に示すように、日射がスラット１４の表面で反射して、反射光が上側のスラット１４の裏面で反射してから室内に入射される角度にスラット１４を調整する。
【００３５】
また、操作盤２２によって防犯モードが選択された場合には、図３（Ｃ）に示すように、スラット１４を全閉するように制御回路２０によってモータ１６の駆動が制御される。これによって、外部からの室内の目視が不能となるので防犯性を重視することができる。また、この場合には、スラット１４の表面側に太陽光が入射され、裏面側に室内の照明等の光が入射されるので、スラット１４の表裏の太陽電池１８によって発電が可能となる。
【００３６】
なお、本実施の形態では、上記各モードが操作盤２２で選択されない場合には、操作盤２２を操作することにより手動でスラット１４の角度を調整できるものとする。
【００３７】
続いて、上述のように構成された本発明の実施の形態に係わる発電ブラインド装置１０の制御回路２０で行われる処理について詳細に説明する。図４は、本発明の実施の形態に係わる発電ブラインド装置１０の制御回路２０で行われる処理の流れの一例を示すフローチャートである。
【００３８】
まず、ステップ１００では、スラット１４の状態が検出されてステップ１０２へ移行する。例えば、制御回路２０が、モータ１６の駆動状態等を検出することによってスラット１４の角度を検出する。
【００３９】
ステップ１０２では、防犯モードが設定されたか否か判定される。該判定は、操作盤２２が操作されて防犯モードが選択されたか否かを判定し、該判定が肯定された場合にはステップ１０４へ移行し、否定された場合にはステップ１０６へ移行する。
【００４０】
ステップ１０４では、スラット１４を全閉するようにモータ１６が駆動されてステップ１３２へ移行する。すなわち、図３（Ｃ）に示すように、スラット１４が全閉した状態にされるので、外部からの室内の目視を不能にすることができる。
【００４１】
また、ステップ１０６では、採光優先モードが設定されたか否か判定される。該判定は、操作盤２２が操作されて採光優先モードが選択されたか否かを判定し、該判定が肯定された場合にはステップ１０８へ移行し、否定された場合にはステップ１１４へ移行する。
【００４２】
ステップ１０８では、太陽光が検出されてステップ１１０へ移行する。すなわち、太陽光センサ２４の検出結果が制御回路２０によって取得される。これによって、制御回路２０は、太陽光センサ２４の検出結果から太陽光の照度、方角、季節等を把握することができる。
【００４３】
ステップ１１０では、採光優先のスラット１４の角度が算出されてステップ１１２へ移行する。すなわち、制御回路２０が、太陽光センサ２４の検出結果から照度を検出すると共に現在の日射角度を推定し、検出した照度及び推定した日射角度に対応して予め記憶した採光を優先する角度を読み出すことによってスラット１４の角度を算出する。
【００４４】
ステップ１１２では、スラット１４の角度が算出された角度になるようにモータ１６が駆動されてステップ１３２へ移行する。これによって、図３（Ａ）に示すように、採光を優先するようにスラット１４の角度が調整される。
【００４５】
また、ステップ１１４では、発電優先モードが設定されたか否か判定される。該判定は、操作盤２２が操作されて発電優先モードが選択されたか否かを判定し、該判定が肯定された場合には通常モード設定としてステップ１１６へ移行し、否定された場合にはステップ１２４へ移行する。
【００４６】
ステップ１１６では、太陽電池１８の発電量の検出が開始されてステップ１１８へ移行する。すなわち、電力計２６によって太陽電池１８の発電量の検出が開始される。
【００４７】
ステップ１１８では、スラット角度を変更して発電量がスキャンされてステップ１２０へ移行する。すなわち、制御回路２０がスラット１４の角度を変更しながら、発電量を検出する。
【００４８】
ステップ１２０では、発電量を優先するスラット１４の角度が算出されてステップ１２２へ移行する。すなわち、制御回路２０が、スラット角度を変更しならが検出した電力に基づいて、最も発電量の多い角度を検出することによってスラット１４の角度を算出する。
【００４９】
ステップ１２２では、スラット１４の角度が算出された角度になるようにモータ１６が駆動されてステップ１３２へ移行する。
【００５０】
また、ステップ１２４では、通常モードが設定されたか否か判定される。該判定は、操作盤２２が操作されて通常モードが選択されたか否かを判定し、該判定が肯定された場合にはステップ１２６へ移行し、否定された場合にはそのままステップ１３２へ移行する。なお、否定された場合には操作盤２２の操作によってスラット１４の角度を手動で操作する。
【００５１】
ステップ１２６では、太陽光が検出されてステップ１２８へ移行する。すなわち、太陽光センサ２４の検出結果が制御回路２０によって取得される。これによって、制御回路２０は、太陽光センサ２４の検出結果から太陽光の照度、方角、季節等を把握することができる。
【００５２】
ステップ１２８では、所定の採光及び発電を得るスラット１４の角度が算出されてステップ１３０へ移行する。すなわち、制御回路２０が、太陽光センサ２４の検出結果から照度を検出すると共に、現在の日射角度を推定し、検出した照度及び推定した日射角度に対応して予め記憶した所定の採光及び発電を得る角度（日射がスラット１４の表面で反射して、反射光が上側のスラット１４の裏面で反射してから室内に入射される角度）を読み出すことによってスラット１４の角度を算出する。
【００５３】
ステップ１３０では、スラット１４の角度が算出された角度になるようにモータ１６が駆動されてステップ１３２へ移行する。これによって、図３（Ｂ）に示すように、日射がスラット１４の表面で反射して、反射光が上側のスラット１４の裏面で反射してから室内に入射される角度にスラット１４の角度が調整される。
【００５４】
ステップ１３２では、モードが変更されたか否か制御回路２０によって判定される。該判定は、操作盤２２が操作されて現在設定されるているモード以外のモードが選択されたか否かを判定し、該判定が肯定された場合にはステップ１００に戻って上述の処理が繰り返され、判定が否定された場合にはステップ１３４へ移行する。
【００５５】
ステップ１３４では、処理の終了が指示されたか否かが制御回路２０によって判定される。該判定は、例えば、電源オフの指示やブラインド部１２を開放する指示等が行われたかなどを判定し、該判定が否定された場合にはステップ１３２に戻って上述の処理が繰り返され、判定が肯定されたところで一連の処理を終了する。
【００５６】
このように、本実施の形態に係わる発電ブラインド装置１０は、防犯モードが選択された場合には、太陽電池１８の発電量や、室内への採光にかかわず、スラット１４が全閉されるので、外部から室内の目視が不能になり防犯性を向上することができる。
【００５７】
また、採光優先モードが選択された場合には、太陽電池１８の発電量にかかわらず、日射がスラット１４の表面で反射して室内に入射されるようにスラット１４の角度が調整されるので、より多くの光を室内へ取入れることができる。
【００５８】
また、発電優先モードが選択された場合には、スラット１４の角度を調整しながら電力量をスキャンして電力量が最大となるようにスラット１４の角度が調整されるので、電力を効率的に発電することができる。
【００５９】
また、通常モードが選択された場合には、所定の採光及び発電を得る角度（日射がスラット１４の表面で反射して、反射光がスラット１４の裏面で反射してから室内に入射される角度）になるようにスラット１４が調整されるので、室内へ光を取入れながら発電が可能となり、発電と採光を両立することができる。
【００６０】
すなわち、本実施の形態に係わる発電ブラインド装置１０は、各モードを選択することで、発電、採光、防犯等の目的に応じてスラット１４の角度を制御することができるので、使用者の要求に応じて利便的に使用することができる。
【００６１】
次に、本発明の実施の形態に係わる発電ブラインド装置の変形例について説明する。図５は、本発明の実施の形態に係わる発電ブラインド装置の変形例の構成を示すブロック図である。なお、上記実施の形態と同一構成については同一符号を付して説明を省略する。また、図５の点線矢印は電力の流れを示し、実線矢印は情報の流れを示す。
【００６２】
変形例の発電ブラインド装置１１は、上記実施の形態に対して、制御回路２１に時計カレンダ計数部３６が更に接続されている。
【００６３】
時計カレンダ計数部３６は、年月日及び時間を計数するものであり、季節や時間などによって異なる日射角度を推定するために設けられている。
【００６４】
上記の実施の形態では、採光優先モード及び通常モードが設定された場合には、太陽光センサ２４の検出結果から日射角度を推定するようにしたが、本実施の形態では、時計カレンダ計数部３６によって季節や時間毎の日射角度が分るので、時計カレンダ計数部３６より得られる日時（季節や時間）から日射角度を推定するようにしたものである。
【００６５】
続いて、変形例の発電ブラインド装置の制御回路１１で行われる処理について詳細に説明する。図６は、本発明の実施の形態に係わる発電ブラインド装置の変形例における制御回路２１で行われる処理の流れの一例を示すフローチャートである。なお、上記実施の形態と同一処理については同一符号を付して説明する。
【００６６】
まず、ステップ１００では、スラット１４の状態が検出されてステップ１０１へ移行する。例えば、制御回路２１が、モータ１６の駆動状態等を検出することによってスラット１４の角度を検出する。
【００６７】
ステップ１０１では、現在の日時（季節や時刻等）が取得されてステップ１０２へ移行する。すなわち、時計カレンダ計数部３６の計数結果を制御回路２１が取得する。
【００６８】
ステップ１０２では、防犯モードが設定されたか否か判定される。該判定は、操作盤２２が操作されて防犯モードが選択されたか否かを判定し、該判定が肯定された場合にはステップ１０４へ移行し、否定された場合にはステップ１０６へ移行する。
【００６９】
ステップ１０４では、スラット１４を全閉するようにモータ１６が駆動されてステップ１３２へ移行する。すなわち、図３（Ｃ）に示すように、スラット１４が全閉した状態にされるので、外部から室内の目視を不能にすることができる。
【００７０】
また、ステップ１０６では、採光優先モードが設定されたか否か判定される。該判定は、操作盤２２が操作されて採光優先モードが選択されたか否かを判定し、該判定が肯定された場合にはステップ１０８へ移行し、否定された場合にはステップ１１４へ移行する。
【００７１】
ステップ１０８では、太陽光が検出されてステップ１０９へ移行する。すなわち、太陽光センサ２４の検出結果が制御回路２１によって取得される。これによって、制御回路２１は、太陽光センサ２４の検出結果から太陽光の照度、方角、季節等を把握することができる。
【００７２】
ステップ１０９では、取得した日時及び太陽光検出結果から採光優先のスラット１４の角度が算出されてステップ１１２へ移行する。すなわち、制御回路２１が、太陽光センサ２４から照度を検出すると共に、時計カレンダ計数部３６から取得した日時から現在の日射角度を推定し、検出した照度及び推定した日射角度に対応して予め記憶した採光を優先する角度を読み出すことによってスラット１４の角度を算出する。
【００７３】
ステップ１１２では、スラット１４の角度が算出された角度になるようにモータ１６が駆動されてステップ１３２へ移行する。これによって、図３（Ａ）に示すように、採光を優先するようにスラット１４の角度が調整される。
【００７４】
また、ステップ１１４では、発電優先モードが設定されたか否か判定される。該判定は、操作盤２２が操作されて発電優先モードが選択されたか否かを判定し、該判定が肯定された場合には通常モード設定としてステップ１１６へ移行し、否定された場合にはステップ１２４へ移行する。
【００７５】
ステップ１１６では、太陽電池１８の発電量の検出が開始されてステップ１１８へ移行する。すなわち、電力計２６によって太陽電池１８の発電量の検出が開始される。
【００７６】
ステップ１１８では、スラット角度を変更して発電量がスキャンされてステップ１２０へ移行する。すなわち、制御回路２１がスラット１４の角度を変更しながら、発電量を検出する。
【００７７】
ステップ１２０では、発電量を優先するスラット１４の角度が算出されてステップ１２２へ移行する。すなわち、制御回路２１が、スラット角度を変更しならが検出した電力に基づいて、最も発電量の多い角度を検出することによってスラット１４の角度を算出する。
【００７８】
ステップ１２２では、スラット１４の角度が算出された角度になるようにモータ１６が駆動されてステップ１３２へ移行する。
【００７９】
また、ステップ１２４では、通常モードが設定されたか否か判定される。該判定は、操作盤２２が操作されて通常モードが選択されたか否かを判定し、該判定が肯定された場合にはステップ１２６へ移行し、否定された場合にはそのままステップ１３２へ移行する。なお、否定された場合には操作盤２２の操作によってスラット１４の角度を手動で操作する。
【００８０】
ステップ１２６では、太陽光が検出されてステップ１２７へ移行する。すなわち、太陽光センサ２４の検出結果が制御回路２１によって取得される。これによって、制御回路２１は、太陽光センサ２４の検出結果から太陽光の照度、方角、季節等を把握することができる。
【００８１】
ステップ１２７では、取得した日時及び太陽光検出結果から所定の採光及び発電を得るスラット１４の角度が算出されてステップ１３０へ移行する。すなわち、制御回路２１が、太陽光センサ２４の検出結果から照度を検出すると共に、時計カレンダ計数部３６から取得した日時から現在の日射角度を推定し、検出した照度及び推定した日射角度に対応して予め記憶した所定の採光及び発電を得る角度（日射がスラット１４の表面で反射して、反射光が上側のスラット１４の裏面で反射してから室内に入射される角度）を読み出すことによってスラット１４の角度を算出する。
【００８２】
ステップ１３０では、スラット１４の角度が算出された角度になるようにモータ１６が駆動されてステップ１３２へ移行する。これによって、図３（Ｂ）に示すように、日射がスラット１４の表面で反射して、反射光が上側のスラット１４の裏面で反射してから室内に入射される角度にスラット１４の角度が調整される。
【００８３】
ステップ１３２では、モードが変更されたか否か制御回路２１によって判定される。該判定は、操作盤２２が操作されて現在設定されるているモード以外のモードが選択されたか否かを判定し、該判定が肯定された場合にはステップ１００に戻って上述の処理が繰り返され、判定が否定された場合にはステップ１３４へ移行する。
【００８４】
ステップ１３４では、処理の終了が指示されたか否かが制御回路２１によって判定される。該判定は、例えば、電源オフの指示やブラインド部１２を開放する指示等が行われたかなどを判定し、該判定が否定された場合にはステップ１３２に戻って上述の処理が繰り返され、判定が肯定されたところで一連の処理を終了する。
【００８５】
このようにしても上記の実施の形態と同様に、モードを選択することで、発電、採光、防犯等の目的に応じてスラット１４の角度を制御することができるので、使用者の要求に応じて利便的に使用することができる。
【００８６】
なお、上記の実施の形態及び変形例では、防犯モード、採光優先モード、発電優先モード、通常モードの順にモードの設定を判断するようにしたが、判断する順序はこれに限るものではなく、他の順番で判断するようにしてもよい。
【００８７】
また、上記の実施の形態及び変形例では、防犯モード、採光優先モード、発電優先モード、及び通常モードの４つのモードを備えた例を挙げて説明したが、これに限るものではなく、何れか１つ以上のモードを備えるようにしてもよいし、上記４つ以外の他のモードを備えるようにしてもよい。
【００８８】
また、上記の実施の形態及び変形例では、防犯モードが選択された場合には、スラット１４を全閉するようにモータ１６を駆動して、外部からの室内の目視が不能となるようにしたが、全閉ではなくてもよい。すなわち、外部からの室内の目視が抑制される程度にスラット１４の角度を調整するようにしてもよい。
【００８９】
また、上記の実施の形態及び変形例では、照度及び日射角度に対応して予め記憶記憶した採光を優先する角度を読み出してスラット１４の角度を調整するようにしたが、これに限るものではなく、例えば、室内側に照度センサを設けて、室内の照度が最も高くなるようにスラット１４の角度を調整するようにしてもよい。
【００９０】
また、上記の実施の形態及び変形例では、スラット１４の両面に太陽電池１８を設ける構成としたが、これに限るものではなく、表面側または裏面側のみに太陽電池１８を設ける構成としてもよい。
【００９１】
また、変形例においては、季節毎にモードを自動的に切換えるモードを備えるようにしてもよい。具体的には、夏は日差しが強いので防犯モードを実行し、冬は太陽光を取入れるため採光優先モードを実行し、春と秋は、防犯モードと採光優先モードの中間の角度になるようにスラット１４を調整する中間モードを実行するようにしてもよい。
【００９２】
さらに、上記の実施の形態及び変形例では、ブラインド装置を例に挙げて説明したが、これに限るものではなく、ブラインド機能及びシャッタ機能を備えたブラインドシャッタを適用するようにしてもよい。すなわち、上記の実施の形態及び変形例の発電ブラインド装置１０、１１の代わりにブラインドシャッタを適用して防犯モードを実行することにより、防犯効果をさらに発揮することができる。
【符号の説明】
【００９３】
１０、１１    発電ブラインド装置
１２    ブラインド部
１４    スラット
１６    モータ
１８    太陽電池
２０、２１    制御回路
２２    操作盤
２４    太陽光センサ
２６    電力計
３６    時計カレンダ計数部
【図１】
2010258023.tif 000003
【図２】
2010258023.tif 000004
【図３】
2010258023.tif 000005
【図４】
2010258023.tif 000006
【図５】
2010258023.tif 000007
【図６】
2010258023.tif 000008